(57)【要約】【課題】鳩などの鳥類の飛来防止を確実にすることができ、且つ安全を確保することができる鳥類飛来防止装置を提供すること【解決手段】電力が供給されて磁気を発生する電気磁石と、この電気磁石よりも小さい磁気を発生する永久磁石と、をマット部材の面内に配置し、前記電気磁石に供給する電力を規制して、磁気を発生する状態と停止した状態とをスイッチ機構により切り換える構成とする。この場合、当該装置を設置してから過渡期が経過するまでは電気磁石を作動させて強い磁場を形成して鳥類の飛来しない状態を速やかに形成し、その後は電気磁石を停止し、磁気の弱い永久磁石のみで鳥類の飛来防止効果を維持するようにすることが可能となる。【選択図】  図１
0003118335.tif 000002
【実用新案登録請求の範囲】
【請求項１】
マット部材と、
このマット部材の面内に少なくとも一つ以上配置され、電力が供給されて磁気を発生する電気磁石と、
前記電気磁石に供給する電力を制御して、磁気を発生する状態と停止した状態とを切り換えるスイッチ機構と、
前記マット部材の面内に少なくとも一つ以上配置され、前記電気磁石よりも小さい磁気を発生する永久磁石と、を備えていることを特徴とする鳥類飛来防止装置。
【請求項２】
前記スイッチ機構は、パルス発振器、タイマースイッチ、及び手動スイッチの中の少なくとも一つであることを特徴とする請求項１記載の鳥類飛来防止装置。
【請求項３】
前記電気磁石は、当該鳥類飛来防止装置を設置してから、鳥類が飛来しなくなる状態を形成するまでの過渡期に稼動されることを特徴とする請求項１記載の鳥類飛来防止装置。
【請求項４】
互いに間隔をあけて設置される複数の前記マット部材を備えたことを特徴とする請求項１記載の鳥類飛来防止装置。
【請求項５】
前記マット部材の面内には複数の凹部が規則的に形成されており、これら凹部の各々に前記電気磁石及び前記永久磁石が収容されることを特徴とする請求項１記載の鳥類飛来防止装置。
【考案の詳細な説明】
【技術分野】
【０００１】
本考案は、鳥類飛来防止装置に関し、特に、ベランダ等に鳩が飛来するのを防止する鳥類飛来防止装置に関する。
【背景技術】
【０００２】
従来より、鳥の糞公害は問題視されており、鳥の飛来を防止するために種々の提案がなされている。例えば、鳥防止用のネット、威嚇音、目玉風船などがその一例として挙げられる。また身近なところで言えば、例えば駅のホーム等においては鳩の飛来し易い場所に、樹脂製の針状プロテクターを設置して鳩の飛来を防止している。
【０００３】
ところで、鳩などの帰巣性を示す動物は、生態磁気サンサーを体内に備えており、地球上に常に存在する地磁気を感知して高度な方向感覚を発揮することが知られている。このことに着目し、生態磁気センサーを狂わすように磁気を発生させて飛来を防止する磁気式の鳥類飛来防止装置が提案されている。
【０００４】
従来における磁気式の鳥類飛来防止装置としては、リング状の強力な磁性体（永久磁石）を用いた鳥類飛来防止装置が開示されている（例えば、特許文献１参照）。当該鳥類飛来防止装置は、受け台上に間隔をおいて磁性体を一列に固定配置し、この受け台を透磁性カバーで被蓋し、構造物等に取り付けて強力な磁場を形成する構成であり、この強力な磁場により鳥類の飛来を防止する。
【０００５】
また、他の鳥類飛来防止装置としては、巻線形の直流電磁石を用いた鳥類飛来防止装置が開示されている（例えば、特許文献２参照）。当該鳥類飛来防止装置は、センサーにより鳥を検知すると、磁束制御装置から直流電流を供給して磁気を発生させる構成である。そして、より確実に飛来防止を可能とするために、直流電流の大きさおよび向きを調整する。
【０００６】
【特許文献１】実開平７−３９４６４号公報
【特許文献２】特開平５−１７６６６５号公報
【考案の開示】
【考案が解決しようとする課題】
【０００７】
しかしながら、従来の鳥類飛来防止装置には以下のような問題点がある。即ち、鳥の飛来をより確実に防止するために、強い磁気を発生することが可能な永久磁石あるいは電気磁石を選択しているため、例えば装飾品又は日用品等の金属製品を持って近づくと、磁気に引き寄せられて手などを挟まれてしまう危険がある。特に、幼い子供にとっては大きな事故となり得る懸念がある。
【０００８】
他方、このような危険を回避するために磁気の弱い永久磁石あるいは電気磁石を選択すると、鳥の飛来防止効果が低下してしまう場合がある。即ち、磁気を利用した従来の鳥類飛来防止装置には、鳥の飛来防止効果の維持と、安全性の確保とのトレードオフの問題がある。
【０００９】
本考案は、このような事情に基づいてなされたものであり、その目的は、鳩などの鳥類の飛来防止を確実にすることができ、且つ安全を確保することができる鳥類飛来防止装置を提供することにある。
【課題を解決するための手段】
【００１０】
本発明の鳥類飛来防止装置は、マット部材と、このマット部材の面内に少なくとも一つ以上配置され、電力が供給されて磁気を発生する電気磁石と、前記電気磁石に供給する電力を制御して、磁気を発生する状態と停止した状態とを切り換えるスイッチ機構と、前記マット部材の面内に少なくとも一つ以上配置され、前記電気磁石よりも小さい磁気を発生する永久磁石と、を備えていることを特徴とする。
【００１１】
前記スイッチ機構は、パルス発振器、タイマースイッチ、及び手動スイッチの中の少なくとも一つであってもよい。
【００１２】
前記電気磁石は、当該鳥類飛来防止装置を設置してから、鳥類が飛来しなくなる状態を形成するまでの過渡期に稼動される構成であってもよい。
【００１３】
前記鳥類飛来防止装置は、互いに間隔をあけて設置される複数の前記マット部材を備えた構成であってもよい。
【００１４】
前記マット部材の面内には複数の凹部が規則的に形成されており、これら凹部の各々に前記電気磁石及び前記永久磁石が収容される構成であってもよい。
【考案の効果】
【００１５】
本考案の鳥類飛来防止装置によれば、電力が供給されて磁気を発生する電気磁石と、この電気磁石よりも小さい磁気を発生する永久磁石と、をマット部材の面内に配置し、前記電気磁石に供給する電力を制御して、磁気を発生する状態と停止した状態とをスイッチ機構により切り換える構成とすることにより、当該装置を設置してから過渡期が経過するまでは電気磁石を作動させて強い磁場を形成して鳥類の飛来しない状態を速やかに形成し、その後は電気磁石を停止し、磁力の弱い永久磁石のみで鳥類の飛来防止効果を維持するようにすることが可能となる。即ち、本考案によれば、鳩などの鳥類の飛来防止を確実にすることができ、且つ、強い磁場を発生させるのを例えば鳥類の飛来しない状態を形成するまでの過渡期だけとすることにより安全を確保することができる。
【考案を実施するための最良の形態】
【００１６】
本考案の第１実施形態による鳥類飛来防止装置の構成について添付図面を参照しながら詳細に説明する。
【００１７】
図１に示すように、本装置は、例えばベランダ等の鳥が飛来し得る場所に敷設される例えば幅３００ｍｍ×長さ３００ｍｍの四角形状のマット部材１を備えている。このマット部材１は、例えばゴムや樹脂などの絶縁性シートを３層に積層して構成されており（下から順に、下層シート１１、中間層シート１２、上層シート１３と呼ぶ）、さらに、上層シート１３の表面に例えば黄色の表層シート１４が貼り付けられている。後述するように、中間層シート１２に形成した配線用の溝１５内に電気配線４７を配置するので、雨水などが内部に浸入することをより確実に防止するために、表層シート１４は、例えばその表面が撥水性を有するシートを選択するのが好ましい。
【００１８】
前記中間層シート１２の面内には、例えば直径の異なる大小２種類の孔部（上下の貫通孔）が複数形成されており、これら孔部は、その下部側を下層シートで塞がれることによって、直径の大きい第１の凹部１６及び、直径の小さい第２の凹部１７を形成する。
【００１９】
第１の凹部１６及び第２の凹部１７には、電力が供給されて磁気を発生する電気磁石２及び、この電気磁石２よりも小さい磁気を発生する永久磁石３がそれぞれ収容されている。即ち、凹部１６，１７は、電気磁石２及び永久磁石３をそれぞれ収容する収容部として構成されている。そして電気磁石２及び永久磁石３を凹部１６，１７内にそれぞれ収納し、その上に上層シート１３及び表層シート１４を取り付けることによりマット部材１が形成される。
【００２０】
なお、上層シート１３は、雨水などの浸入を防止する観点からは中間層シート１２に対して例えば接着剤により固着することが好ましいが、これに限定されることはなく、中間層シート１２に対して着脱自在な構成とし、前記電気磁石２及び永久磁石３を取り出し可能なようにすることも可能である。このような構成とすれば、電気磁石２及び永久磁石３の交換作業や、電気磁石２のメンテナンス作業などを容易に行うことが可能となる。また、マット部材１は、前記凹部１６，１７及び配線用の溝１５を除く領域に貫通孔などを形成して多孔性領域を形成し、これにより良好な透磁気性及び水はけ性を確保するようにしてもよい。
【００２１】
また、電気磁石２及び永久磁石３の数（設置数）及び、それらをどのように配置するかについて限定されることはないが、これら電気磁石２及び永久磁石３がマット部材１の面内に規則的に配置されていることが好ましい。本実施形態では、マット部材１の面内中央部に１個の電気磁石２を配置し、４個の永久磁石３を各隅部に配置した規則的な配列としている。
【００２２】
永久磁石３は、電気磁石２よりも小さい磁気例えば０．５〜１２００ガウスの磁気を発生させることが可能であれば特に形状及び材質等が制限されることはなく、市販のものを適用することが可能である。
【００２３】
続いて、電気磁石２の構成について図３を参照しながら説明する。図３（ａ）に示すように、電気磁石２としてのソレノイドは、例えば円筒形状の外装体２１を備え、その中央部には長手方向に延びる鉄芯２２が設けられている。さらに、鉄芯２２の周囲に励磁気コイル２３が設けられており、例えば１００Ｖの電力を供給すると、図３（ｂ）に模式的に示すような磁力線を形成して、例えば２０００〜４０００ガウスの磁気を発生するように構成されている。
【００２４】
さらに図４に示す電気回路図を参照しながら電気磁石２の構成を詳しく説明すると、電力供給源である商用電力のコンセントに接続されるプラグ４、電力を手動で遮断するための手動スイッチ４１、使用者が設定する時間に電力を供給するように制御するためのタイマースイッチ４２、交流電力から直流電力に変換するためのＡＣ／ＤＣ変換器４３、パルス発振器４４、電気磁石２としてのソレノイド、電力が供給されているかを使用者が識別するためのリードランプ例えば発光ダイオード４５、及び抵抗体４６が、電気配線（回路を含む）４７を介して接続された構成である。さらに、図示は省略するが、電気漏洩が発生した場合に電力を遮断する漏洩遮断器を備えている。手動スイッチ４１、タイマースイッチ４２、ＡＣ／ＤＣ変換器４３、パルス発振器４４、発光ダイオード４５及び抵抗体４６は、制御部である制御ボックス４８内に設けられている。
【００２５】
前記パルス発振器４４は、例えばバイメタル式のパルス発振器であり、短い間隔例えば数十秒間隔でパルス信号を発生させるように構成されている。またタイマースイッチは、例えば１日の中で所定の時間、例えば午前５時から午後８時の間は電気磁石２を稼動状態とし、残りの時間は停止状態とするように使用者によって設定される。即ち、手動スイッチ４１、タイマースイッチ４２及びパルス発振器４３は、前記電気磁石に供給する電力を規制して、磁気を発生する状態と停止した状態とを切り換えるスイッチ機構を構成する。
【００２６】
続いて、上述の構成を採用した鳥類飛来防止装置の作用について説明する。まず、鳥の飛来し得る場所、例えばベランダなどにマット部材１を敷設し、図示しない商用電源のコンセントにプラグ４を接続する。続いて手動スイッチ４１をオンにして電気磁石２に電力を供給することにより、電気磁石２から磁気を発生させる。このとき、永久磁石３からも磁気が発生している。
【００２７】
電気磁石２は、パルス発振器４４によって短い周期例えば数十秒間隔でオン−オフされ、且つタイマースイッチ４２によって１日の中で所定の時間だけ稼動して磁気を発生する。ここで、電気磁石２はジュール熱によって例えば７０℃まで発熱される場合があるため、このようにパルス発振器４４を用いて短い周期でオン−オフ制御することにより、実質的に磁気の発生を継続しながら電気磁石２自体が高温状態になることを抑制することが可能となる。このような構成とすれば、使用者がやけどなどをする危険が少なく、また熱によってシートが変形等するのを抑制することが可能である。
【００２８】
そして過渡期、例えば当該装置の設置及び稼動開始から３ヶ月が経過するまでは、パルス発振器４４及びタイマースイッチ４２によって前述のような装置稼動状態（即ち、磁気発生状態）を継続し、３ヶ月が経過した後は手動スイッチ４１をオフにして、以後は永久磁石３のみで磁気を発生させる。なお、この３ヶ月は一応の目安であり、任意に変更可能である。即ち、本明細書における過渡期とは、装置を設置してから鳥の飛来がなくなるまでの期間を意味する。
【００２９】
即ち、背景技術の欄で述べたように、従来の鳥類飛来防止装置は、センサー等を用いて鳥の飛来を検知したときに磁気を発生させる構成を採用するが、実際には、鳥は瞬間的に磁気を感知して退避するというものではない。つまり、強い磁気を発生させたとしても、直ちに鳥が飛来しなくなるというものではなく、継続して磁気を発生させているうちに徐々にその飛来数が少なくなっていき、３ヶ月程度で完全に飛来がなくなる。そしてさらに、鳥が飛来しない状態を形成した後は、それほど強い磁気でなくともその状態を維持することが可能であることを、考案者は実際に行った実験の結果等を基に推測している。
【００３０】
このことに考案者は着目し、過渡期（例えば３ヶ月）が経過するまでは電気磁石２を稼動させて強い磁気を発生させ、これにより鳥が飛来しない状態（環境）を速やかに形成する。そして、飛来しない状態を形成した後は、電気磁石２を停止して永久磁石３のみで磁気を発生して飛来防止効果を維持するようにする。永久磁石３には磁気の弱いものを選択しているので、これによって使用者の家族等の安全性を確保することが可能になる。即ち、上述の実施形態によれば、より確実に鳥類の飛来を防止することができ、且つ安全性を確保することが可能となる。
【００３１】
続いて本発明の鳥類飛来防止装置による第２実施形態について図５〜図６を参照しながら説明する。当該実施形態は、上述のように構成されたマット部材１を複数備えたことを除けば、第１実施形態と同じ構成である。従って、同じ機能を有する構成については、同一の符号を付すことにより詳しい説明を省略する。
【００３２】
上述のマット部材１は、持ち運びを容易にするために都合のよい大きさに形成しているが、配置場所の広さによってはその全域に効果を行き届かすことができない場合がある。そのため、本実施形態の鳥類飛来防止装置は、例えば図５に示すように、ベランダ等に互いに間隔をあけて敷設可能な複数枚例えば４枚のマット部材１（１Ａ，１Ｂ，１Ｃ，１Ｄ）を備え、各マット部材１Ａ〜１Ｄにそれぞれ設けられる電気磁石２（２Ａ，２Ｂ，２Ｃ，２Ｄ）を共通の制御ボックス４７で制御する構成である。
【００３３】
電気磁石２（２Ａ，２Ｂ，２Ｃ，２Ｄ）を制御する回路構成を図６に示す。図６に示すように、本実施形態においては、手動スイッチ及びタイマースイッチは全ての電器磁石に共通であるが、その下流側を２系統に分岐して２個のパルス発振器４４Ａ（４４Ｂ）を並列配置すると共に、各パルス発振器４４Ａ（４４Ｂ）の各々に一組の電気磁石２Ａ及び２Ｂ（２Ｃ及び２Ｄ）を並列配置した構成である。このような構成であっても上述の場合と同様の効果を得ることができ、さらに、本実施形態は複数のマット部材１（１Ａ，１Ｂ，１Ｃ，１Ｄ）を備えた構成としたことにより、面積が広いベランダであってもその全域に飛来防止効果を及ぼすことが可能になる。
【００３４】
なお、上述の実施形態においては、過渡期が経過した後は電気磁石２を稼動させないということではなく、例えば永久磁石３に磁気の弱いものを選択している場合には、永久磁石３のみでは飛来防止効果が徐々に弱まってくる場合があるので、僅かでも鳥飛来の兆しが感じられると判断すれば、電気磁石２を再稼動させるようにしてもよい。即ち、永久磁石２の稼動のスケジューリングは使用者が任意に設定することが可能である。
【００３５】
さらに、本考案においては、マット部材は、四角形状に限られず、例えば三角形上、楕円形状、円形状など敷設場所に応じた形状とすることが可能である。そして設置場所としてベランダを例に挙げて説明したが、鳥の飛来し得る場所であればいずれであっても設置してもよいことは言うまでもない。  
【図面の簡単な説明】
【００３６】
【図１】本考案の第１実施形態に係る鳥類飛来防止装置の斜視図である。
【図２】上記鳥類飛来防止装置の縦断面図である。
【図３】上記鳥類飛来防止装置に設けられる電気磁石の構成を説明する図である。
【図４】上記電気磁石の電気回路を示す図である。
【図５】本考案の第２実施形態に係る鳥類飛来防止装置を示す図である。
【図６】上記鳥類飛来防止装置に設置される電気磁石の電気回路を示す図である。
【符号の説明】
【００３７】
１      マット部材
１１    下層シート
１２    中間層シート
１３    上層シート
１４    表層シート
１６    第１の凹部
１７    第２の凹部
２      電気磁石
３      永久磁石
【図１】
0003118335.tif 000003
【図２】
0003118335.tif 000004
【図３】
0003118335.tif 000005
【図４】
0003118335.tif 000006
【図５】
0003118335.tif 000007
【図６】
0003118335.tif 000008